(57)【要約】【課題】従来のスクリーン装置よりも可搬性及び保管性に優れたスクリーン装置及びこのようなスクリーン装置を備えるプロジェクターシステムを提供する。【解決手段】気体Ｇを導入することにより平面視スクリーン状に展開可能、かつ、気体を排出することにより折り畳み可能な袋状部材１０からなるスクリーン１００と、スクリーン１００の横幅Ｌ２よりも狭い横幅Ｌ１を有し、スクリーン１００を折り畳んだ状態でスクリーン１００を収納する収納箱２００とを備えることを特徴とするスクリーン装置１。【選択図】図２
2010169996.tif 000002
【特許請求の範囲】
【請求項１】
気体を導入することにより平面視スクリーン状に展開可能、かつ、気体を排出することにより折り畳み可能な袋状部材からなるスクリーンと、
前記スクリーンの横幅よりも狭い横幅を有し、前記スクリーンを折り畳んだ状態で前記スクリーンを収納する収納箱とを備えることを特徴とするスクリーン装置。
【請求項２】
請求項１に記載のスクリーン装置において、
前記袋状部材は、スクリーン面となる表面と、裏面とを有し、
前記表面と前記裏面とは、面内複数個所において前記表面と前記裏面との距離を均一にするための線状連結部材により連結されていることを特徴とするスクリーン装置。
【請求項３】
請求項２に記載のスクリーン装置において、
前記表面と前記裏面とは、ランダムに配置された前記線状連結部材により連結されていることを特徴とするスクリーン装置。
【請求項４】
請求項１〜３のいずれかに記載のスクリーン装置において、
前記スクリーンを展開させたときに前記スクリーンが自立するのを補助する自立補助手段をさらに備えることを特徴とするスクリーン装置。
【請求項５】
請求項４に記載のスクリーン装置において、
前記収納箱は、前記スクリーンを縦方向に挿入するための切り込みを有し、前記切り込みを前記自立補助手段として用いることを特徴とするスクリーン装置。
【請求項６】
請求項４に記載のスクリーン装置において、
前記収納箱は、縦方向に伸縮可能な芯部材を有し、
前記スクリーンは、前記裏面において、内部に前記芯部材を挿入することが可能な輪状部材を有し、
前記芯部材及び前記輪状部材を前記自立補助手段として用いることを特徴とするスクリーン装置。
【請求項７】
請求項１〜６のいずれかに記載のスクリーン装置において、
前記スクリーンに気体を導入するための気体導入装置をさらに備えることを特徴とするスクリーン装置。
【請求項８】
請求項７に記載のスクリーン装置において、
前記気体導入装置は、前記スクリーンから気体を排出する機能を有することを特徴とするスクリーン装置。
【請求項９】
請求項１〜８のいずれかに記載のスクリーン装置と、
前記スクリーン装置の収納箱に収納可能なプロジェクターとを備え、
使用時には、前記プロジェクターを前記収納箱の内部に配置した状態で前記スクリーンに画像を投写するように構成されていることを特徴とするプロジェクターシステム。
【請求項１０】
請求項９に記載のプロジェクターシステムにおいて、
前記スクリーン装置の前記収納箱に収納可能なスピーカーをさらに備えることを特徴とするプロジェクターシステム。
【発明の詳細な説明】
【技術分野】
【０００１】
本発明は、スクリーン装置及びプロジェクターシステムに関する。
【背景技術】
【０００２】
従来、展開可能、かつ、巻き取り可能なスクリーンと、巻き取った状態のスクリーンを収納する収納箱とを備えるスクリーン装置が知られている（例えば、特許文献１参照。）。
【０００３】
このため、従来のスクリーン装置は、非使用時には巻き取った状態のスクリーンを収納箱に収納することが可能となるため、可搬性及び保管性に優れたスクリーン装置となる。
【先行技術文献】
【特許文献】
【０００４】
【特許文献１】特開２００６−７２２９１号公報
【発明の概要】
【発明が解決しようとする課題】
【０００５】
しかしながら、従来のスクリーン装置においては、収納箱の横幅をスクリーンの横幅よりも狭くすることができないため、可搬性及び保管性に一定の限界が存在していた。
【０００６】
そこで、本発明は、上記課題に鑑みてなされたもので、従来のスクリーン装置よりも可搬性及び保管性に優れたスクリーン装置を提供することを目的とする。また、このようなスクリーン装置を備えるプロジェクターシステムを提供することを目的とする。
【課題を解決するための手段】
【０００７】
本発明のスクリーン装置は、気体を導入することにより平面視スクリーン状に展開可能、かつ、気体を排出することにより折り畳み可能な袋状部材からなるスクリーンと、前記スクリーンの横幅よりも狭い横幅を有し、前記スクリーンを折り畳んだ状態で前記スクリーンを収納する収納箱とを備えることを特徴とする。
【０００８】
このため、本発明のスクリーン装置は、非使用時には折り畳んだ状態のスクリーンを収納箱に収納することが可能となるため、収納箱の横幅をスクリーンの横幅よりも狭くすることが可能となり、従来のスクリーン装置よりも可搬性及び保管性に優れたスクリーン装置となる。
【０００９】
本発明のスクリーン装置においては、前記袋状部材は、スクリーン面となる表面と、裏面とを有し、前記表面と前記裏面とは、面内複数個所において前記表面と前記裏面との距離を均一にするための線状連結部材により連結されていることが好ましい。
【００１０】
このように構成することにより、スクリーン面を十分に平坦なものとすることができる。
【００１１】
本発明のスクリーン装置においては、前記表面と前記裏面とは、ランダムに配置された前記線状連結部材により連結されていることが好ましい。
【００１２】
このように構成することにより、線状連結部材を取り付けることに起因して生成することがある凹みをランダムに配置することが可能となり、歪みの少ない投写画像を表示することが可能となる。
【００１３】
本発明のスクリーン装置においては、前記スクリーンを展開させたときに前記スクリーンが自立するのを補助する自立補助手段をさらに備えることが好ましい。
【００１４】
このように構成することにより、自立補助手段を別途準備することなくスクリーン装置を使用することが可能となる。
【００１５】
本発明のスクリーン装置においては、前記収納箱は、前記スクリーンを縦方向に挿入するための切り込みを有し、前記切り込みを前記自立補助手段として用いることが好ましい。
【００１６】
このように構成することにより、簡単な構成で比較的安定性に優れたスクリーン装置を実現することができる。
【００１７】
本発明のスクリーン装置においては、前記収納箱は、縦方向に伸縮可能な芯部材を有し、前記スクリーンは、前記裏面において、内部に前記芯部材を挿入することが可能な輪状部材を有し、前記芯部材及び前記輪状部材を前記自立補助手段として用いることが好ましい。
【００１８】
このように構成することにより、比較的簡単な構成で安定性に優れたスクリーン装置を実現することができる。
【００１９】
本発明のスクリーン装置においては、前記スクリーンに気体を導入するための気体導入装置をさらに備えることが好ましい。
【００２０】
このように構成することにより、気体導入装置を別途準備しなくてもスクリーン装置を使用することが可能となる。
【００２１】
本発明のスクリーン装置においては、前記気体導入装置は、前記スクリーンから気体を排出する機能を有することが好ましい。
【００２２】
このように構成することにより、非使用時には当該気体導入装置を用いて袋状部材から気体を排出してスクリーンを折り畳むことが可能となる。
【００２３】
本発明のプロジェクターシステムは、本発明のスクリーン装置と、前記スクリーン装置の収納箱に収納可能なプロジェクターとを備え、使用時には、前記プロジェクターを前記収納箱の内部に配置した状態で前記スクリーンに画像を投写するように構成されていることを特徴とする。
【００２４】
このため、本発明のプロジェクターシステムは、上記したように可搬性及び保管性に優れたスクリーン装置を備えるため、可搬性及び保管性に優れたプロジェクターシステムとなる。
【００２５】
本発明のプロジェクターシステムにおいて、前記スクリーン装置の前記収納箱に収納可能なスピーカーをさらに備えることが好ましい。
【００２６】
このように構成することにより、別途スピーカーを準備することなく音声出力することが可能となる。
【図面の簡単な説明】
【００２７】
【図１】実施形態１に係るスクリーン装置１の構成を説明するために示す図。
【図２】実施形態１に係るスクリーン装置１の構成を説明するために示す図。
【図３】実施形態１に係るスクリーン装置１の構成を説明するために示す図。
【図４】実施形態１に係るスクリーン装置１のスクリーン１００を収納する場合の動作を説明するために示す図。
【図５】実施形態１に係るスクリーン装置１のスクリーン１００を展開する場合の動作を説明するために示す図。
【図６】実施形態２に係るスクリーン装置１ａの構成を説明するために示す図。
【図７】実施形態３に係るスクリーン装置１ｂの構成を説明するために示す図。
【図８】実施形態４に係るプロジェクターシステム１０００の構成を説明するために示す図。
【図９】実施形態５に係るプロジェクターシステム１０００ａの構成を説明するために示す図。
【発明を実施するための形態】
【００２８】
以下、本発明のスクリーン装置及びプロジェクターシステムについて、図に示す実施の形態に基づいて説明する。
【００２９】
［実施形態１］
実施形態１は、本発明のスクリーン装置を説明するための実施形態である。
【００３０】
１．スクリーン装置の構成
図１は、実施形態１に係るスクリーン装置１の構成を説明するために示す図である。図１（ａ）はスクリーン装置１の斜視図であり、図１（ｂ）はスクリーン装置１の正面図であり、図１（ｃ）はスクリーン装置１の側面図である。図１においては、スクリーン１００を収納した状態のスクリーン装置１を示す。なお、図１（ｃ）においては、スクリーン装置１の内部を詳細に説明するために、スクリーン装置１の側面の図示を省略して示している。
図２は、実施形態１に係るスクリーン装置１の構成を説明するために示す図である。図２（ａ）はスクリーン装置１の斜視図であり、図２（ｂ）はスクリーン装置１の正面図である。図２においては、スクリーン１００を展開した状態のスクリーン装置１を示す。なお、図２（ｂ）においては、スクリーン装置１の内部を詳細に説明するために、スクリーン装置１の正面の蓋部２２０の図示を省略して示している。
図３は、実施形態１に係るスクリーン装置１の構成を説明するために示す図である。図３（ａ）はスクリーン装置１の側面図であり、図３（ｂ）は図３（ａ）に示すＡの部分を拡大して示す部分拡大断面図である。図３においては、スクリーン１００を展開した状態のスクリーン装置１を示す。なお、図３（ａ）においては、スクリーン装置１の内部を詳細に説明するために、スクリーン装置１の側面の図示を省略して示している。
【００３１】
実施形態１に係るスクリーン装置１は、図１〜図３に示すように、スクリーン１００と、収納箱２００と、自立補助手段３００と、気体導入装置４００とを有するスクリーン装置である。
【００３２】
（Ａ）スクリーン
スクリーン１００は、図２及び図３に示すように、気体Ｇを導入することにより平面視スクリーン状に展開可能、かつ、図１に示すように、気体Ｇを排出することにより折り畳み可能な袋状部材１０からなる。気体Ｇは、例えば、空気である。スクリーン１００の底部の横幅は、スクリーン１００の横幅よりも狭くなっており、気体導入装置と接続されている。
【００３３】
袋状部材１０は、図３に示すように、スクリーン面となる表面２０と、裏面３０とを有し、表面２０と裏面３０とは、面内複数個所において表面２０と裏面３０との距離を均一にするための線状連結部材４０により連結されている。また、図３（ｂ）に示すように、線状連結部材４０は、ランダムに配置されている。袋状部材１０は可撓性及び気密性を有する素材（例えば、ポリ塩化ビニール。）からなる。表面２０をスクリーン面として用いるときは、例えば、図２中の符号２２で示す画像投写範囲の中に画像を投写するようにする。
【００３４】
（Ｂ）収納箱
収納箱２００は、図１〜図３に示すように、基体部２１０と、蓋部２２０と、ヒンジ部２３０と、固定部２４０と、取手２５０と、電源部（図示せず。）とを有する。基体部２１０と蓋部２２０とは、ヒンジ部２３０を介して結合されている。収納箱２００はスクリーン１００の横幅Ｌ２よりも狭い横幅Ｌ１を有し、スクリーン１００を折り畳んだ状態でスクリーン１００を収納する。
【００３５】
基体部２１０は、スクリーン１００及び気体導入装置４００が配置されるスクリーン搭載部２１２を有する。また、固定部２４０は、スクリーン１００の底部を固定する。
【００３６】
電源部は、電源プラグ２６４に接続され、内部に設置されている気体導入装置４００に電力を供給する。
【００３７】
（Ｃ）自立補助手段
収納箱２００は、図１〜図３に示すように、基体部２１０の側面においてスクリーン１００を縦方向に挿入するための切り込み３１０を有し、実施形態１のスクリーン装置１においては、切り込み３１０を自立補助手段３００として用いる。
【００３８】
（Ｄ）気体導入装置
気体導入装置４００は、図３（ａ）に示すように、送風装置４１０と、送風パイプ４２０とを有する。
【００３９】
送風装置４１０は、電源部から供給される電力により、送風パイプ４２０を通じて気体Ｇをスクリーン１００に導入する機能を有する。また、送風装置４１０は、電源部から供給される電力により、送風パイプ４２０を通じて気体Ｇをスクリーン１００から排出する機能を有する。図示による説明は省略するが、送風パイプ４２０は、固定部２４０の内部でスクリーン１００の袋状部材１０と連結されている。
【００４０】
２．スクリーンを収納する場合及び展開する場合の動作
図４は、実施形態１に係るスクリーン装置１のスクリーン１００を収納する場合の動作を説明するために示す図である。図４（ａ）〜図４（ｆ）はスクリーン１００を収納する場合の動作の各工程図である。
【００４１】
２−１．収納
スクリーン装置１において、スクリーン１００を収納する場合の動作を、図４に従って説明する。
【００４２】
（１）まず、図４（ａ）に示すように気体Ｇが導入されている状態のスクリーン１００から、送風装置４１０を用いて気体Ｇを排出する。スクリーン１００から気体Ｇが排出されると、図４（ｂ）に示すように、スクリーン１００の厚みが減少し、折り畳み可能となる。
【００４３】
（２）次に、図４（ｃ）に示すように、折り畳み可能となったスクリーン１００を、切り込み３１０から外し、スクリーンの両側の部分を内側に向かって折り畳む。
【００４４】
（３）次に、図４（ｄ）に示すように、スクリーン１００全体を蛇腹状に折り畳む。スクリーン１００全体の折り畳みが完了すると、図４（ｅ）に示すように、収納箱２００の中に納まる大きさとなる。
【００４５】
（４）最後に、図４（ｆ）に示すように、蓋部２２０を閉じてスクリーン１００の収納を完了する。
【００４６】
以上が、スクリーン装置１において、スクリーン１００を収納する場合の動作である。
【００４７】
２−２．展開
図５は、実施形態１に係るスクリーン装置１のスクリーン１００を展開する場合の動作を説明するために示す図である。図５（ａ）〜図５（ｆ）はスクリーン１００を展開する場合の動作の各工程図である。
【００４８】
スクリーン装置１において、スクリーン１００を展開する場合の動作を、図５に従って説明する。
【００４９】
（１）まず、図５（ａ）に示すように、蓋部２２０を開ける。蓋部２２０を開けると、図５（ｂ）に示すように、蛇腹状に折り畳んで収納箱２００に収納したスクリーン１００が露出する。
【００５０】
（２）次に、図５（ｃ）に示すように、蛇腹状に折り畳んで収納箱２００に収納したスクリーン１００を展開する。スクリーン１００の展開が完了すると、図５（ｄ）に示すように、スクリーン１００の両側の部分が内側に向かって折り畳まれた状態になる。
【００５１】
（３）次に、図５（ｅ）に示すように、スクリーン１００の両側の部分を外側に向かって展開した後、スクリーン１００を切り込み３１０に挿入する。
【００５２】
（４）最後に、送風装置４１０を用いてスクリーン１００に気体を導入する。このとき、図５（ｆ）に示すように、スクリーン１００は導入される気体Ｇの圧力によりスクリーン１００の厚みが増加し、その結果、平面視スクリーン状に展開されたスクリーン１００が、切り込み３１０に挿入された状態で自立し、使用可能となる。
【００５３】
以上が、スクリーン装置１において、スクリーン１００を展開する場合の動作である。
【００５４】
３．スクリーン装置の効果
以上のように構成された実施形態１に係るスクリーン装置１によれば、折り畳み可能な袋状部材１０からなるスクリーン１００と、スクリーン１００の横幅Ｌ２よりも狭い横幅Ｌ１を有し、スクリーン１００を折り畳んだ状態でスクリーン１００を収納する収納箱２００とを備えるため、非使用時には折り畳んだ状態のスクリーン１００を収納箱２００に収納することが可能となる。その結果、収納箱２００の横幅Ｌ１をスクリーン１００の横幅Ｌ２よりも狭くすることが可能となり、従来のスクリーン装置よりも可搬性及び保管性に優れたスクリーン装置となる。
【００５５】
また、実施形態１に係るスクリーン装置１によれば、表面２０と裏面３０とが、面内複数個所において表面２０と裏面３０との距離を均一にするための線状連結部材４０により連結されているため、スクリーン面を十分に平坦なものとすることができる。
【００５６】
また、実施形態１に係るスクリーン装置１によれば、表面２０と裏面３０とが、ランダムに配置された線状連結部材４０により連結されているため、線状連結部材４０を取り付けることに起因して生成することがある凹みをランダムに配置することが可能となり、歪みの少ない投写画像を表示することが可能となる。
【００５７】
また、実施形態１に係るスクリーン装置１によれば、自立補助手段３００を備えるため、自立補助手段を別途準備することなくスクリーン装置を使用することが可能となる。
【００５８】
また、実施形態１に係るスクリーン装置１によれば、切り込み３１０を自立補助手段として有しているため、簡単な構成で比較的安定性に優れたスクリーン装置を実現することができる。
【００５９】
また、実施形態１に係るスクリーン装置１によれば、気体導入装置４００を備えるため、気体導入装置を別途準備しなくてもスクリーン装置を使用することが可能となる。
【００６０】
また、実施形態１に係るスクリーン装置１によれば、気体導入装置４００が、スクリーン１００から気体Ｇを排出する機能を有するため、非使用時には気体導入装置４００を用いて袋状部材１０から気体Ｇを排出してスクリーン１００を折り畳むことが可能となる。
【００６１】
［実施形態２］
図６は、実施形態２に係るスクリーン装置１ａの構成を説明するために示す図である。図６（ａ）はスクリーン装置１ａの背面図であり、図６（ｂ）はスクリーン装置１ａの上面図であり、図６（ｃ）及び図６（ｄ）はスクリーン装置１ａの側面図である。なお、図６（ｃ）及び図６（ｄ）においては、スクリーン装置１ａの内部を詳細に説明するために、スクリーン装置１ａの側面の図示を省略して示している。また、図６（ｂ）においては、図の簡略化のために、収納箱２００ａを省略して示している。
【００６２】
実施形態２に係るスクリーン装置１ａは、基本的には実施形態１に係るスクリーン装置と同様の構成を有するが、自立補助手段の構成が実施形態１に係るスクリーン装置１の場合とは異なる。すなわち、実施形態２に係るスクリーン装置１ａにおいては、図６に示すように、芯部材７１０及び輪状部材７２０を自立補助手段７００として用いるように構成されている。収納箱２００ａは、縦方向に伸縮可能な芯部材７１０を有する。スクリーン１００ａは、裏面３０ａにおいて、芯部材７１０を挿入して固定することが可能な輪状部材７２０を有する。
【００６３】
芯部材７１０は、図６に示すように、複数のパイプ状部材から構成されており、伸縮自在である。芯部材７１０は、図６（ａ）〜図６（ｃ）に示すように、伸ばした状態ではスクリーン１００ａを裏面３０ａ側から支持する。また、芯部材７１０は、図６（ｄ）に示すように、縮めた状態では箱部材２００ａに収納される。
【００６４】
輪状部材７２０は、図６に示すように、スクリーン１００ａの裏面３０ａに縫い付けられた帯状部材から構成されている。帯状部材の材質は、例えば、スクリーン１００ａと同一の材質である。輪状部材７２０は、図６（ａ）〜図６（ｃ）に示すように、内側に芯部材７１０を挿入し、固定することが可能である。
【００６５】
上記のように、実施形態２に係るスクリーン装置１ａは、自立補助手段の構成が実施形態１に係るスクリーン装置１の場合とは異なるが、実施形態１に係るスクリーン装置１の場合と同様に、折り畳み可能な袋状部材からなるスクリーンと、スクリーンの横幅よりも狭い横幅を有し、スクリーンを折り畳んだ状態でスクリーンを収納する収納箱とを備えるため、非使用時には折り畳んだ状態のスクリーンを収納箱に収納することが可能となる。その結果、実施形態１に係るスクリーン装置１の場合と同様に、従来のスクリーン装置よりも可搬性及び保管性に優れたスクリーン装置となる。
【００６６】
また、実施形態２に係るスクリーン装置１ａによれば、自立補助手段として芯部材７１０及び輪状部材７２０を有するため、比較的簡単な構成で安定性に優れたスクリーン装置を実現することができる。
【００６７】
なお、実施形態２に係るスクリーン装置１ａは、自立補助手段の構成以外の点においては、実施形態１に係るスクリーン装置１と同様の構成を有するため、実施形態１に係るスクリーン装置１が有する効果のうち該当する効果を有する。
【００６８】
［実施形態３］
図７は、実施形態３に係るスクリーン装置１ｂの構成を説明するために示す図である。図７（ａ）はスクリーン１００ｂを展開した状態を示す斜視図であり、図７（ｂ）はスクリーン１００ｂをランダムにまるめて折り畳んだ状態を示す斜視図である。
【００６９】
実施形態３に係るスクリーン装置１ｂは、基本的には実施形態１に係るスクリーン装置と同様の構成を有するが、スクリーンの構成が実施形態１に係るスクリーン装置１の場合とは異なる。すなわち、実施形態３に係るスクリーン装置１ｂにおいては、スクリーン１００ｂは、図７に示すように、収納するときにランダムにまるめて折り畳むように構成されている。
【００７０】
上記のように、実施形態２に係るスクリーン装置１ｂは、スクリーンの構成が実施形態１に係るスクリーン装置１の場合とは異なるが、実施形態１に係るスクリーン装置１の場合と同様に、折り畳み可能な袋状部材からなるスクリーンと、スクリーンの横幅よりも狭い横幅を有し、スクリーンを折り畳んだ状態でスクリーンを収納する収納箱とを備えるため、非使用時には折り畳んだ状態のスクリーンを収納箱に収納することが可能となる。その結果、実施形態１に係るスクリーン装置１の場合と同様に、従来のスクリーン装置よりも可搬性及び保管性に優れたスクリーン装置となる。
【００７１】
また、実施形態３に係るスクリーン装置１ｂは、スクリーンの構成以外の点においては、実施形態１に係るスクリーン装置１と同様の構成を有するため、実施形態１に係るスクリーン装置１と同様の効果を有する。
【００７２】
［実施形態４］
実施形態４は、本発明のプロジェクターシステムを説明するための実施形態である。
【００７３】
１．プロジェクターシステムの構成
図８は、実施形態４に係るプロジェクターシステム１０００の構成を説明するために示す図である。図８（ａ）はプロジェクターシステム１０００の斜視図であり、図８（ｂ）はプロジェクターシステム１０００の側面図である。図８（ａ）はスクリーン１００を折り畳んで収納箱２００に収納した状態のプロジェクターシステム１０００を示す。図８（ｂ）はスクリーン１００に気体Ｇを導入することにより展開した状態のプロジェクターシステム１０００を示す。
なお、図８（ｂ）においては、プロジェクターシステム１０００の内部を詳細に説明するために、プロジェクターシステム１０００の側面の図示を省略して示している。
【００７４】
実施形態４に係るプロジェクターシステム１０００は、スクリーン装置１ｃと、プロジェクター５００と、反射ミラー６００とを備えるプロジェクターシステムである。使用時には、図８（ｂ）に示すようにプロジェクター５００を収納箱２００ｂの内部に配置した状態でスクリーン１００に画像を投写するように構成されている。
【００７５】
（Ａ）スクリーン装置
実施形態４に係るプロジェクターシステム１０００のスクリーン装置１ｃは、基本的には実施形態１に係るスクリーン装置と同様の構成を有するが、収納箱の構成が実施形態１に係るスクリーン装置１の場合とは異なる。すなわち、実施形態４に係るプロジェクターシステム１０００のスクリーン装置１ｃにおいては、図８に示すように、箱部材２００ｃは、プロジェクター５００が配置されるプロジェクター搭載部２１４をさらに有する。
【００７６】
（Ｂ）プロジェクター
プロジェクター５００は、図８に示すように、収納箱２００ｃの内部のプロジェクター搭載部２１４に配置されており、電源部から電力を供給されている。
【００７７】
プロジェクター５００は、図示による説明は省略するが、光を射出する照明装置と、照明装置からの光を画像情報に応じて変調する電気光学変調装置と、電気光学変調装置からの変調光を投写する投写光学系と、投写する光の角度を調整することが可能な投写光角度調整装置とを備える。図８に示すように、プロジェクター５００から投写される光は，反射ミラー６００に向けてあおり投写されている。
【００７８】
照明装置の光源としては、例えば、メタルハライドランプ、高圧水銀ランプ、超高圧水銀ランプ等を用いることができる。なお、ＬＥＤなどの固体光源を用いてもよい。
【００７９】
電気光学変調装置としては、例えば、照明装置からの光を画像情報に応じて液晶及び偏光板によって変調し、変調した光を投写光学系へと射出する機能を有する液晶装置や、照明装置からの光を画像情報に応じて各画素に対応するマイクロミラーで反射して変調し、変調した光を投写光学系へと射出する機能を有する反射方向制御型光変調装置（例えば、ＤＭＤ（デジタルマイクロミラーデバイス）（ＴＩ社の商標）。）を用いることができる。
【００８０】
なお、図示による説明は省略するが、プロジェクター５００には、ＨＤＤレコーダー、ＤＶＤ再生装置などのＡＶ機器やパソコン等の画像出力装置が接続されており、画像出力装置から出力された画像情報が、画像としてプロジェクター５００からスクリーン１００に投写されることとなる。この場合、画像出力装置は、収納箱２００ｃ内に配設されていてもよいし、プロジェクターシステム１０００とは別の外付けの装置であってもよい。
【００８１】
（Ｃ）反射ミラー
反射ミラー６００は、図８（ｂ）に示すように、蓋部２２０ｃの裏面側に配設されており、蓋部２２０ｃが開いたときにプロジェクター５００から投写される光をスクリーン１００に向けて反射するための反射部材である。
【００８２】
２．プロジェクターシステムの使用方法
上記したように、実施形態４に係るスクリーン装置１ｃは、基本的には実施形態１に係るスクリーン装置１と同様の構成を有し、スクリーン１００を収納する場合の動作及び展開する場合の動作も実施形態１に係るスクリーン装置１と同様である。
【００８３】
プロジェクターシステム１０００は、図８（ｂ）に示すように、スクリーン１００を展開した状態で、収納箱２００ｃのプロジェクター搭載部２１４に配置されたプロジェクター５００による投写画像をスクリーン面に投写して使用する。
【００８４】
３．プロジェクターシステムの効果
実施形態４に係るプロジェクターシステム１０００は、実施形態１に係るスクリーン装置１と同様の機能を有するスクリーン装置１ｃを有するため、可搬性及び保管性に優れたプロジェクターシステム１０００となる。
【００８５】
［実施形態５］
図９は、実施形態５に係るプロジェクターシステム１０００ａの構成を説明するために示す図である。図９（ａ）はプロジェクターシステム１０００ａの斜視図であり、図９（ｂ）はプロジェクターシステム１０００ａの正面図である。図９は、スクリーン１００に気体Ｇを導入することにより展開した状態のプロジェクターシステム１０００ａを示す。
なお、図９（ｂ）においては、プロジェクターシステム１０００ａの内部を詳細に説明するために、プロジェクターシステム１０００ａの正面の蓋部２２０の図示を省略している。
【００８６】
実施形態５に係るプロジェクターシステム１０００ａは、基本的には実施形態４に係るプロジェクターシステム１０００と同様の構成を有するが、収納箱２００ｂに収納可能なスピーカー８００をさらに備える点で、実施形態４に係るプロジェクターシステム１０００の場合とは異なる。
【００８７】
実施形態５に係るプロジェクターシステム１０００ａは、実施形態４のプロジェクターシステム１０００と同様の効果を有するのに加えて以下の効果を有する。すなわち、実施形態５に係るプロジェクターシステム１０００ａによれば、別途スピーカーを準備することなく音声出力することが可能となる。
【００８８】
以上、本発明のスクリーン装置及びプロジェクターシステムを上記の各実施形態に基づいて説明したが、本発明は上記の実施形態に限定されるものではなく、その要旨を逸脱しない範囲において種々の態様において実施することが可能であり、例えば次のような変形も可能である。
【００８９】
（１）上記各実施形態においては、あらかじめ用意した気体導入装置４００によってスクリーンに気体Ｇを導入することとしたが、本発明はこれに限定されるものではない。例えば、別途用意した気体導入装置によってスクリーンに気体を導入してもよい。
【００９０】
（２）上記各実施形態においては、電力によって動作する気体導入装置４００によってスクリーンに気体Ｇを導入することとしたが、本発明はこれに限定されるものではない。例えば、人力によって動作する気体導入装置によってスクリーンに気体を導入してもよい。
【００９１】
（３）上記各実施形態においては、電力によって動作する気体導入装置４００によってスクリーンから気体を排出することとしたが、本発明はこれに限定されるものではない。例えば、手でスクリーンを押すことによってスクリーンから気体を排出してもよい。
【００９２】
（４）上記各実施形態においては、電源部は、電源プラグ２６４を通じて外部から電力を供給されるものとしたが、本発明はこれに限定されるものではない。例えば、収納箱内部に搭載されたバッテリーから電力を供給されるものとしてもよい。
【００９３】
（５）上記実施形態１、２、４及び５においては、スクリーンを蛇腹状に折り畳むこととしたが、本発明はこれに限定されるものではない。例えば、スクリーンをロール状に巻き取って折り畳むこととしてもよい。
【００９４】
（６）上記実施形態４及び５においては、自立補助手段として切り込み３１０を用いることとしたが、本発明はこれに限定されるものではない。例えば、自立補助手段として実施形態２に示したような芯部材と輪状部材とを用いることとしてもよい。
【００９５】
（７）上記実施形態１、４及び５においては、スクリーンを収納する場合において、気体Ｇを排出した後にスクリーン１００を切り込み３１０から外すこととし、また、スクリーンを展開する場合において、気体Ｇを導入する前にスクリーン１００を切り込み３１０に差し込むこととしたが、本発明はこれに限定されるものではない。例えば、気体を排出する前にスクリーンを切り込みから外すこととしてもよく、また、気体を導入した後にスクリーンを切り込みに差し込むこととしてもよい。
【００９６】
（８）上記実施形態４及び５においては、反射ミラー６００が蓋部２２０ｃの裏面側に配設されていたが、本発明はこれに限定されるものではない。例えば、反射ミラーがプロジェクターに配設されていてもよい。
【００９７】
（９）上記実施形態２においては、輪状部材７２０が裏面３０に縫い付けられていることとしたが、本発明はこれに限定されるものではない。例えば、輪状部材が裏面に接着されていることとしてもよい。
【００９８】
（１０）上記実施形態２においては、輪状部材７２０を構成する帯状部材の材質はスクリーン１００ａと同一の材質としたが、本発明はこれに限定されるものではない。例えば、スクリーンと異なる材質としてもよい。
【符号の説明】
【００９９】
１，１ａ，１ｂ，１ｃ…スクリーン装置、１０，１０ａ，１０ｂ…袋状部材、２０，２０ｂ…表面、２２，２２ｂ…画像投写範囲、３０，３０ａ…裏面、４０…糸状連結部材、１００，１００ａ，１００ｂ…スクリーン、２００，２００ａ，２００ｃ…収納箱、２１０，２１０ｃ…基体部、２１２…スクリーン搭載部、２１４…プロジェクター搭載部、２２０，２２０ｃ…蓋部、２３０…ヒンジ部、２４０…固定部、２５０…取手、２６４…電源プラグ、３００，７００…自立補助手段、３１０…切り込み、４００…気体導入装置、４１０…送風装置、４２０…送風パイプ、５００…プロジェクター、６００…反射ミラー、７１０…芯部材、７２０…輪状部材、８００…スピーカー、１０００，１０００ａ…プロジェクターシステム、Ｇ…気体、Ｌ１…収納箱の横幅、Ｌ２…スクリーンの横幅
【図１】
2010169996.tif 000003
【図２】
2010169996.tif 000004
【図３】
2010169996.tif 000005
【図４】
2010169996.tif 000006
【図５】
2010169996.tif 000007
【図６】
2010169996.tif 000008
【図７】
2010169996.tif 000009
【図８】
2010169996.tif 000010
【図９】
2010169996.tif 000011